(57)【要約】【課題】本発明は、食卓や庭園や郊外で飲食品等を手早く冷却することができ、その冷却効果に優れたクーラー装置を提供する。【解決手段】本発明にかかるクーラー装置は、冷やされるもの１０を受け入れる内チャンバ５と、前記内チャンバ５をそれの内壁との間に隙間５０が残るように収納し、且つそれに付設されている駆動機構３で前記内チャンバ５を駆動することができるように構成されている外チャンバ４とを備えており、前記内チャンバ５が前記外チャンバ４内に収納されて前記内チャンバ５内及び前記隙間５０内の少なくとも１つに冷媒が入れられた状態で、前記内チャンバ５内に冷やされるもの１０を入れてから前記駆動機構３で前記内チャンバ５を駆動しながら前記冷やされるもの１０を冷却することを特徴とする。【選択図】図３
2007050178.tif 000002
【特許請求の範囲】
【請求項１】
冷やされるものを受け入れる内チャンバと、
前記内チャンバをそれの内壁との間に隙間が残るように収納し、且つそれに付設されている駆動機構で前記内チャンバを駆動することができるように構成されている外チャンバとを備えており、
前記内チャンバが前記外チャンバ内に収納されるとともに、前記内チャンバ内及び前記隙間内の少なくとも１つに冷媒が入れられた状態で、前記内チャンバ内に冷やされるものを入れてから前記駆動機構で前記内チャンバを駆動しながら前記冷やされるものを冷却することを特徴とするクーラー装置。
【請求項２】
前記内チャンバが前記駆動機構の駆動によって前記外チャンバ内で回転されることを特徴とする請求項１に記載のクーラー装置。
【請求項３】
前記内外両チャンバともほぼ上方へ開口していて前記冷やされるものを前記内チャンバに上から入れることができるとともに前記冷媒も前記内チャンバ及び前記隙間の少なくとも１つに上から入れることができ、且つ、前記内チャンバはその底面の中心部において下方からの前記駆動機構の回転駆動軸と連係して前記外チャンバ内の所定位置でその開口が元の上方へ向かう姿勢を保ったままで回転することができるように構成されていることを特徴とする請求項２に記載のクーラー装置。
【請求項４】
その開口が上にあり且つ周壁に多くの孔が開設してあるとともに、上から前記内チャンバに入れられて前記内チャンバと共に回転できるように係止されることができるように構成されたバスケットを更に備えていることを特徴とする請求項３に記載のクーラー装置。
【請求項５】
前記外チャンバに、該外チャンバの開口を上からカバーすることができ、且つそれが閉じたままでそこから前記バスケットを挿入したり引き出したりすることができる補助蓋付き開口が設けてある蓋手段が付設されていることを特徴とする請求項４に記載のクーラー装置。
【発明の詳細な説明】
【技術分野】
【０００１】
本発明は、クーラー装置に関し、特に食卓や庭園や郊外で飲食品等を手早く冷却するためのクーラー装置に関する。
【背景技術】
【０００２】
通常、飲食品の冷却／保存は冷蔵庫により行われる。ところで、ワインやコーラ、ジュース、アイスクリーム等は、所定温度下で飲んだり食べたりしなければ風味が良くなくなり、冷蔵庫より取り出してから、残りのものをいち早く冷蔵庫に戻した方が良いものが少なくない。そのために、パーティや庭園ピクニックなどの場合に、不便であるうえ、冷蔵庫が頻繁に開けられるので、電力の浪費及び他の冷蔵食品の腐敗をもたらす欠点もある。
【０００３】
このような場合、前記欠点を解消するために、氷箱を用意し、残りのものをそれに入れて置くのが通常である。
【０００４】
しかしながら、氷箱の使用は飲食品をその中に静置するだけであって冷やす効率があまり良くなく、特にパーティの場合にお客様の杯に逐一に注いで一回りして帰ったら温度がすでに上がったワインについては、そういう感じがより深くなる。
【発明の開示】
【発明が解決しようとする課題】
【０００５】
そこで、本発明は、食卓や庭園や郊外で飲食品等を手早く冷却することができ、その冷却効果に優れたクーラー装置を提供することを目的とする。
【課題を解決するための手段】
【０００６】
前記目的を達成するために、本発明は、冷やされるものを受け入れる内チャンバと、前記内チャンバをそれの内壁との間に隙間が残るように収納し、且つそれに付設されている駆動機構で前記内チャンバを駆動することができるように構成されている外チャンバとを備えており、前記内チャンバが前記外チャンバ内に収納されるとともに、前記内チャンバ内及び前記隙間内の少なくとも１つに冷媒が入れられた状態で、前記内チャンバ内に冷やされるものを入れてから前記駆動機構で前記内チャンバを駆動しながら前記冷やされるものを冷却することを特徴とするクーラー装置を提供する。
【０００７】
また、前記内チャンバは前記駆動機構の駆動によって前記外チャンバ内で回転されることが好ましい。
【０００８】
本発明のクーラー装置の好ましい形態としては、前記内外両チャンバともほぼ上方へ開口していて前記冷やされるものを前記内チャンバに上から入れることができるとともに前記冷媒も前記内チャンバ及び前記隙間の少なくとも１つに上から入れることができ、且つ、前記内チャンバはその底面の中心部において下方からの前記駆動機構の回転駆動軸と連係して前記外チャンバ内の所定位置でその開口が元の上方へ向かう姿勢を保ったままで回転することができるように構成されていることを特徴とするものが挙げられる。
【０００９】
また、前記形態に加えて、その開口が上にあり且つ周壁に多くの孔が開設してあるとともに、上から前記内チャンバに入れられて前記内チャンバと共に回転できるように係止されることができるように構成されたバスケットを更に備えていることが好ましい。
【００１０】
さらに、前記形態に加えて、前記外チャンバに、該外チャンバの開口を上からカバーすることができ、且つそれが閉じたままでそこから前記バスケットを挿入したり引き出したりすることができる補助蓋付き開口が設けてある蓋手段が付設されていることがより好ましい。
【００１１】
さらにまた、家庭用のものであれば、前記冷媒は氷塊や氷水を使用するのが好ましい。
【発明の効果】
【００１２】
本発明のクーラー装置が使用されると、冷やされるものを収容している内チャンバが駆動機構で駆動されることで、内チャンバの表面近傍の熱境界層、および、内チャンバ内にも冷媒が入れられた場合には冷やされるものの表面近傍の熱境界層が撹乱されて消え、特に、冷やされるものが液体のものであれば、それ自体も駆動によって撹乱されて内部の熱交換を促し、手早く冷やされることができる。もちろん、内チャンバ内にも冷媒を入れることは、冷やされるものの品質や風味が冷媒の影響を受けず、または冷やされるものが容器入りのものに限る。
【発明を実施するための最良の形態】
【００１３】
本発明の前記およびその他の目的、特徴及び利点は、添付図面に例示する本発明の好ましい実施形態に関する以下の詳しい記載からより明らかになる。
【００１４】
図１は、本発明のクーラー装置の好ましい実施形態の斜視図である。図２は、図１の分解斜視図である。図３は、図１の側面縦断面図である。
【００１５】
図１ないし図３に示すように、本発明のクーラー装置の好ましい実施形態は、外チャンバ４と、内チャンバ５と、バスケット５２と、蓋手段６とを含んでいる。
【００１６】
前記外チャンバ４は、図示のように、上方へ開口している円筒状の中空容器であって、略円錐台状の基座３０の上面に載せられて取外し可能に固定されている。基座３０の中には、駆動機構３が収納されている。この駆動機構３の回転駆動軸３１は、下から上へと基座３０の上面中心と、外チャンバ４の下面中心とを貫通して、外チャンバ４内に突出している。また、基座３０の側面には、駆動機構３を制御するためのスイッチ３３が設置されている。即ち、駆動機構３は、スイッチ３３によって制御されて回転される回転駆動軸３１が外チャンバ４内に突出するように外チャンバ４に付設されている。
【００１７】
なお、駆動機構３は、外チャンバ４の下方に設置されるように付設されることに限らず、外チャンバ４の内部に設置されるように付設されても良い。また、駆動機構３は、スイッチ３３によって回転速度及び/又は回転時間の設定をすることができるように構成されても良い。
【００１８】
前記内チャンバ５は、図示のように、上方へ開口している容器であって、上から外チャンバ４内に入れられて内チャンバ５の外壁と外チャンバ４の内壁との間に冷媒を入れることが可能な隙間５０が残るように収納されている。また、内チャンバ５は、外チャンバ４内の適当な位置に収納されているとき、その底面中心部における窪み構造５１で連係部材３２を介して下方からの前記駆動機構３の回転駆動軸３１と連係している。これにより、内チャンバ５は、駆動機構３がスイッチ３３の制御によって始動されると、回転駆動軸３１の回転により、前記外チャンバ４内の中心部においてその開口が元の上方へ向かう姿勢を保ったままで回転されることができる。また、前記上方へ向かう姿勢での回転は、真上方向だけでなく、斜め上方へ向かう姿勢での回転でも良い。即ち、内チャンバ５と外チャンバ４は、基座３０の上面に対して垂直でなく傾斜に設置されても良く、この場合には傾斜角度が調整可能に設置されても良い。更に、内チャンバ５は高い熱伝導率の材料からなることが好ましい。
【００１９】
前記蓋手段６は、図示のように、着脱自在に外チャンバ４に付設されていて外チャンバ４の開口を上からカバーすることができる。また、蓋手段６の中心位置に補助蓋６１付き開口６２が設けてある。蓋手段６が外チャンバ４の開口を上からカバーしたままで、この開口６２についている補助蓋６１が開けられても、内チャンバ５の周囲を囲んでいる隙間５０がやはり蓋手段６の前記開口６２を囲んでいる周囲部分にカバーされるが、その際、内チャンバ５は、前記開口６２を介して外部へ開放されるので、冷やされるもの１０を入れたり取り出したりすることができる。
【００２０】
なお、場合によっては、本発明のクーラー装置は、その蓋手段６に補助蓋６１付き開口６２がなくても良く、あるいは、蓋手段６自体がなくても良い。
【００２１】
前記バスケット５２は、その開口が上にあり且つ周壁に多くの孔が開設してある構造を有し、図３に示すように冷やされるもの１０を受け入れることができ、且つ前記補助蓋６１付き開口６２を通して内チャンバ５内に挿入されたり引き出されたりすることができる。また、バスケット５２は、その上端部において内チャンバ５と係止することができるので、冷やされるもの１０が入れてあるままで内チャンバ５と共に回転することができる。
【００２２】
なお、本発明のクーラー装置は、バスケット５２を含まなくても良い。その場合に、冷やされるもの１０は直接内チャンバ５内に入れられて冷却されることになる。
【００２３】
以下、図３に基づいて前記クーラー装置の好適な使用方法について説明する。まず、内チャンバ５を外チャンバ４内に上記のように連結して収納し、そして氷塊や氷水等の冷媒を隙間５０内に投入し、氷水を内チャンバ５内に投入し、次いで蓋手段６をその補助蓋６１付き開口６２を開けたままで隙間５０をカバーし、冷やされるもの１０としてボトル入り飲み物をバスケット５２内に入れてからバスケット５２と共に内チャンバ５に挿入し、そして補助蓋６１を閉じる。その後、スイッチ３３をオンにして、駆動装置３を作動させて内チャンバ５を回転駆動しながら冷やされるもの１０を冷却する。冷やされるもの１０を引き出そうとするとき、スイッチ３３をオフにした後、補助蓋６１だけを開けてから引き出すことができる。そのとき、冷やされるもの１０だけを引き出しても良いが、ワインなどの風味がちょっとの温度差によって影響されるものについては、バスケット５２と共に引き出せば、比較的に高温な人体との直接的な接触を避けることできるので、より好ましいのである。また、内チャンバ５内にも氷水等の冷媒を入れることは、もちろん冷却効率に係わるが、冷やされるもの１０の品質や風味が冷媒の影響を受けず、または冷やされるもの１０がこの実施形態のような容器入りのものに限る。
【００２４】
以上の通り、本発明の前記クーラー装置が使用されると、冷やされるもの１０を収容している内チャンバ５が駆動機構３で駆動されることで、内チャンバ５の表面近傍及び冷やされるもの１０の表面近傍にあった熱境界層が撹乱されて消え、特に、冷やされるもの１０としてボトル入り飲み物も駆動によってその中にある液体部分が撹乱されて内部の熱交換を促し、手早く冷やされることができる。また、蓋手段６はクーラー装置の内部と外界との熱伝達を防止し、クーラー装置の冷却効果を更に向上させることができる。
【図面の簡単な説明】
【００２５】
【図１】本発明のクーラー装置の好ましい実施形態の斜視図である。
【図２】図１のクーラー装置の分解斜視図である。
【図３】図１のクーラー装置の側面縦断面図である。
【符号の説明】
【００２６】
１０      冷やされるもの
３        駆動機構
３０      基座
３１      回転駆動軸
３２      連係部材
３３      スイッチ
４        外チャンバ
５        内チャンバ
５１      窪み構造
５２      バスケット
６        蓋手段
６１      補助蓋
６２      補助蓋付き開口
【図１】
2007050178.tif 000003
【図２】
2007050178.tif 000004
【図３】
2007050178.tif 000005